(57)【特許請求の範囲】
【請求項１】
通販ＷＥＢサイトを所有する本部と、前記本部から通販ＷＥＢサイトの提供を受ける販売代理店とで構成される通販ＷＥＢサイト支援システムであって、前記販売代理店は複数からなると共に、該複数の販売代理店が備える通販ＷＥＢサイトは、本部のサーバを頂点として前記複数の販売代理店の通販ＷＥＢサイトを所定数の異なる階層に上下関係となるように配置する上下列と、販売代理店の通販ＷＥＢサイトを同一階層に並列関係となるように所定数配置する左右列とを組み合わせて通販ＷＥＢサイト階層構造を形成しており、前記本部のサーバによる処理は、前記本部の通販ＷＥＢサイト若しくは前記販売代理店の通販ＷＥＢサイトから新規販売代理店の登録申込みを受けた場合において、それを承認する場合には、新規販売代理店の登録申込みが現になされた販売代理店の通販ＷＥＢサイトと関連付けた識別符号を付与した通販ＷＥＢサイトを前記新規販売代理店に提供すると共に、前記通販ＷＥＢサイト階層構造において、新規販売代理店の登録申込みが現になされた通販ＷＥＢサイトの下位層のうち、通販ＷＥＢサイトが未だ配置されていない最も上流の配置位置を前記本部のサーバが自動的に検出し、その配置位置に前記新規販売代理店の通販ＷＥＢサイトを位置付けることで新規販売代理店の開設を行う新規販売代理店開設処理と、前記新規販売代理店と該新規販売代理店の通販ＷＥＢサイトに付与された識別符号とを関連付けて記憶する記憶処理とを少なくとも備えることを特徴とする通販ＷＥＢサイト支援システム。
【請求項２】
販売代理店の通販ＷＥＢサイトは、商品の購入申込みを受け付けることができると共に、商品の売買が成立した場合には、商品の購入申込みを受け付けた通販ＷＥＢサイトと、該通販ＷＥＢサイトよりも上位層で且つ上下列に位置付けられる通販ＷＥＢサイトとについて、商品の購入金額に対応した配当金額を本部のサーバが算出し、前記配当金額を、商品の購入申込みを受け付けた通販ＷＥＢサイトを備える販売代理店と該販売代理店の通販ＷＥＢサイトよりも上位層で且つ上下列に位置付けられる通販ＷＥＢサイトを備える販売代理店とに対して前記本部が付与することを特徴とする請求項１に記載の通販ＷＥＢサイト支援システム。
【請求項３】
本部のサーバは、販売代理店毎に定められた月会費の入金確認を行う処理を備えると共に、入金確認がとれた場合には、入金確認がとれた販売代理店の通販ＷＥＢサイトよりも上位層で且つ上下列に位置付けられる通販ＷＥＢサイトについて、前記月会費の金額に対応した配当金額を算出し、前記配当金額を、入金確認がとれた販売代理店の通販ＷＥＢサイトよりも上位層で且つ上下列に位置付けられる通販ＷＥＢサイトを備える販売代理店に対して前記本部が付与することを特徴とする請求項１又は２に記載の通販ＷＥＢサイト支援システム。
【請求項４】
販売代理店の通販ＷＥＢサイトの運営及び管理は、本部のサーバで行うことを特徴とする請求項１〜３の何れか１項に記載の通販ＷＥＢサイト支援システム。
【発明の詳細な説明】
【技術分野】
【０００１】
本願発明は、インターネット通信網を介して通販ＷＥＢサイトを運営及び管理する通販ＷＥＢサイト支援システムに関する。
【背景技術】
【０００２】
近年、通信技術の発達により、インターネット通信網を介して各種商品の販売を行う、いわゆるオンラインショッピングに関するサービスが盛んに行われている。
このようなオンラインショッピングに関する従来技術を示すものとして、下記特許文献１がある。
【先行技術文献】
【特許文献】
【０００３】
【特許文献１】特開２００２−３０４５３７号公報
【特許文献２】特開２００６−９２４３８号公報
【発明の概要】
【発明が解決しようとする課題】
【０００４】
上記特許文献１に示すような従来のオンラインショッピングに関する技術は、運営会社が一つの通販ＷＥＢサイトを有し、この通販ＷＥＢサイトを介して各種商品の販売を行うものが一般的であった。よって、需要者に通販ＷＥＢサイトの存在を知ってもらうためには多大な広報活動が必要となり、効率的に販路を拡大することができないという問題があった。
このような問題に対して、上記特許文献２に示すような、運営会社が開発した通信販売機能を個人商店等が利用できる構成を備えることで、個人商店等をいわゆる販売代理店として利用する技術があった。しかし、あくまで運営会社のサーバと個人商店等とを一対一で結び付ける構成であることから、依然として効率的に販路を拡大することができないという問題があった。また個人商店等の販売代理店は、顧客に商品情報を提供できるだけで販売代理店の募集を行うものではないことから、販売代理店数を効率的に増やすことができないという問題があった。
【０００５】
そこで本願発明は上記従来の課題を解決し、本部が提供する通販ＷＥＢサイトを備える販売代理店の募集を容易に行うことができることで効率的に販路を拡大することができ、また販売代理店の販売意欲及び販売代理店の募集意欲を効果的に向上させることができると共に、通販ＷＥＢサイトの運営及び管理を容易化することができる通販ＷＥＢサイト支援システムを提供することを課題とする。
【課題を解決するための手段】
【０００６】
本発明の通販ＷＥＢサイト支援システムは、通販ＷＥＢサイトを所有する本部と、前記本部から通販ＷＥＢサイトの提供を受ける販売代理店とで構成される通販ＷＥＢサイト支援システムであって、前記販売代理店は複数からなると共に、該複数の販売代理店が備える通販ＷＥＢサイトは、本部のサーバを頂点として前記複数の販売代理店の通販ＷＥＢサイトを所定数の異なる階層に上下関係となるように配置する上下列と、販売代理店の通販ＷＥＢサイトを同一階層に並列関係となるように所定数配置する左右列とを組み合わせて通販ＷＥＢサイト階層構造を形成しており、前記本部のサーバによる処理は、前記本部の通販ＷＥＢサイト若しくは前記販売代理店の通販ＷＥＢサイトから新規販売代理店の登録申込みを受けた場合において、それを承認する場合には、新規販売代理店の登録申込みが現になされた販売代理店の通販ＷＥＢサイトと関連付けた識別符号を付与した通販ＷＥＢサイトを前記新規販売代理店に提供すると共に、前記通販ＷＥＢサイト階層構造において、新規販売代理店の登録申込みが現になされた通販ＷＥＢサイトの下位層のうち、通販ＷＥＢサイトが未だ配置されていない最も上流の配置位置を前記本部のサーバが自動的に検出し、その配置位置に前記新規販売代理店の通販ＷＥＢサイトを位置付けることで新規販売代理店の開設を行う新規販売代理店開設処理と、前記新規販売代理店と該新規販売代理店の通販ＷＥＢサイトに付与された識別符号とを関連付けて記憶する記憶処理とを少なくとも備えることを第１の特徴としている。
【０００７】
上記本発明の第１の特徴によれば、通販ＷＥＢサイトを所有する本部と、前記本部から通販ＷＥＢサイトの提供を受ける販売代理店とで構成される通販ＷＥＢサイト支援システムであって、前記販売代理店は複数からなると共に、該複数の販売代理店が備える通販ＷＥＢサイトは、本部のサーバを頂点として前記複数の販売代理店の通販ＷＥＢサイトを所定数の異なる階層に上下関係となるように配置する上下列と、販売代理店の通販ＷＥＢサイトを同一階層に並列関係となるように所定数配置する左右列とを組み合わせて通販ＷＥＢサイト階層構造を形成しており、前記本部のサーバによる処理は、前記本部の通販ＷＥＢサイト若しくは前記販売代理店の通販ＷＥＢサイトから新規販売代理店の登録申込みを受けた場合において、それを承認する場合には、新規販売代理店の登録申込みが現になされた販売代理店の通販ＷＥＢサイトと関連付けた識別符号を付与した通販ＷＥＢサイトを前記新規販売代理店に提供すると共に、前記通販ＷＥＢサイト階層構造において、新規販売代理店の登録申込みが現になされた通販ＷＥＢサイトの下位層のうち、通販ＷＥＢサイトが未だ配置されていない最も上流の配置位置を前記本部のサーバが自動的に検出し、その配置位置に前記新規販売代理店の通販ＷＥＢサイトを位置付けることで新規販売代理店の開設を行う新規販売代理店開設処理と、前記新規販売代理店と該新規販売代理店の通販ＷＥＢサイトに付与された識別符号とを関連付けて記憶する記憶処理とを少なくとも備えることから、本部と販売代理店の何れの通販ＷＥＢサイトでも新規販売代理店の登録申込みを行えることで、日時に関係なく新規販売代理店の申込みを受け付けることができる。よって販売代理店の募集を容易に行うことができる。また新規販売代理店開設処理が行われる度に、新規販売代理店の登録申込みが現になされた通販ＷＥＢサイトの下位層に販売代理店数を効果的に増やすことができる。
【０００８】
また新規販売代理店の登録申込みが現になされた販売代理店の通販ＷＥＢサイトと関連付けた識別符号を付与した通販ＷＥＢサイトを新規販売代理店に提供すると共に、新規販売代理店と該新規販売代理店の通販ＷＥＢサイトに付与された識別符号とを関連付けて記憶することから、どの販売代理店の通販ＷＥＢサイトを介して新規販売代理店の登録申込みがあったかの確認を容易に行うことができる。
【０００９】
また新規販売代理店開設処理として、前記通販ＷＥＢサイト階層構造において、新規販売代理店の登録申込みが現になされた通販ＷＥＢサイトの下位層のうち、通販ＷＥＢサイトが未だ配置されていない最も上流の配置位置を前記本部のサーバが自動的に検出し、その配置位置に前記新規販売代理店の通販ＷＥＢサイトを位置付ける構成とすることで、新規販売代理店開設処理を一段と効率的に行うことができる。
【００１０】
また本発明の通販ＷＥＢサイト支援システムは、上記本発明の第１の特徴に加えて、販売代理店の通販ＷＥＢサイトは、商品の購入申込みを受け付けることができると共に、商品の売買が成立した場合には、商品の購入申込みを受け付けた通販ＷＥＢサイトと、該通販ＷＥＢサイトよりも上位層で且つ上下列に位置付けられる通販ＷＥＢサイトとについて、商品の購入金額に対応した配当金額を本部のサーバが算出し、前記配当金額を、商品の購入申込みを受け付けた通販ＷＥＢサイトを備える販売代理店と該販売代理店の通販ＷＥＢサイトよりも上位層で且つ上下列に位置付けられる通販ＷＥＢサイトを備える販売代理店とに対して前記本部が付与することを第２の特徴としている。
【００１１】
上記本発明の第２の特徴によれば、上記本発明の第１の特徴による作用効果に加えて、販売代理店の通販ＷＥＢサイトは、商品の購入申込みを受け付けることができると共に、商品の売買が成立した場合には、商品の購入申込みを受け付けた通販ＷＥＢサイトと、該通販ＷＥＢサイトよりも上位層で且つ上下列に位置付けられる通販ＷＥＢサイトとについて、商品の購入金額に対応した配当金額を本部のサーバが算出し、前記配当金額を、商品の購入申込みを受け付けた通販ＷＥＢサイトを備える販売代理店と該販売代理店の通販ＷＥＢサイトよりも上位層で且つ上下列に位置付けられる通販ＷＥＢサイトを備える販売代理店とに対して前記本部が付与することから、販売代理店の販売意欲を効果的に向上させることができる。
【００１２】
また本発明の通販ＷＥＢサイト支援システムは、上記本発明の第１又は第２の特徴に加えて、本部のサーバは、販売代理店毎に定められた月会費の入金確認を行う処理を備えると共に、入金確認がとれた場合には、入金確認がとれた販売代理店の通販ＷＥＢサイトよりも上位層で且つ上下列に位置付けられる通販ＷＥＢサイトについて、前記月会費の金額に対応した配当金額を算出し、前記配当金額を、入金確認がとれた販売代理店の通販ＷＥＢサイトよりも上位層で且つ上下列に位置付けられる通販ＷＥＢサイトを備える販売代理店に対して前記本部が付与することを第３の特徴としている。
【００１３】
上記本発明の第３の特徴によれば、上記本発明の第１又は第２の特徴による作用効果に加えて、本部のサーバは、販売代理店毎に定められた月会費の入金確認を行う処理を備えると共に、入金確認がとれた場合には、入金確認がとれた販売代理店の通販ＷＥＢサイトよりも上位層で且つ上下列に位置付けられる通販ＷＥＢサイトについて、前記月会費の金額に対応した配当金額を算出し、前記配当金額を、入金確認がとれた販売代理店の通販ＷＥＢサイトよりも上位層で且つ上下列に位置付けられる通販ＷＥＢサイトを備える販売代理店に対して前記本部が付与することから、既存の販売代理店は、自己の下流に新規販売代理店が開設されることで毎月一定額の収入を見込むことが可能となる。よって、既存の販売代理店に対して新規販売代理店の募集意欲を効果的に向上させることができると共に、通販ＷＥＢサイト支援システムを販売代理店にとって魅力的なシステムとすることができる。
【００１４】
また本発明の通販ＷＥＢサイト支援システムは、上記本発明の第１〜第３の何れか１つの特徴に加えて、販売代理店の通販ＷＥＢサイトの運営及び管理は、前記本部のサーバで行うことを第４の特徴としている。
【００１５】
上記本発明の第４の特徴によれば、上記本発明の第１〜第３の何れか１つの特徴による作用効果に加えて、販売代理店の通販ＷＥＢサイトの運営及び管理は、本部のサーバで行うことから、通販ＷＥＢサイトの運営及び管理を一元化することができる。よって通販ＷＥＢサイトの運営及び管理を容易化することができる。
【発明の効果】
【００１６】
本発明の通販ＷＥＢサイト支援システムによれば、販売代理店の募集を容易に行うことができると共に、通販ＷＥＢサイトの運営及び管理を容易化することができる。
また販売代理店の販売意欲及び販売代理店の募集意欲を効果的に向上させることができる。
【図面の簡単な説明】
【００１７】
【図１】本発明の実施形態に係る通販ＷＥＢサイト支援システムの構成を示す全体図である。
【図２】本発明の実施形態に係る通販ＷＥＢサイト支援システムを構成する本部のサーバの構成を示す図である。
【図３】本発明の実施形態に係る通販ＷＥＢサイト支援システムを構成する販売代理店の通販ＷＥＢサイトの初期画面を簡略化して示す図である。
【図４】本発明の実施形態に係る通販ＷＥＢサイト支援システムにおける新規販売代理店登録処理を示すフローチャートである。
【図５】本発明の実施形態に係る通販ＷＥＢサイト支援システムにおける新規販売代理店登録処理を示すフローチャートである。
【図６】本発明の実施形態に係る通販ＷＥＢサイト支援システムにおける新規販売代理店登録処理を示すフローチャートである。
【図７】本発明の実施形態に係る通販ＷＥＢサイト支援システムにおける新規販売代理店登録処理を示すフローチャートである。
【図８】本発明の実施形態に係る通販ＷＥＢサイト支援システムにおける商品購入申込み処理を示すフローチャートである。
【図９】本発明の実施形態に係る通販ＷＥＢサイト支援システムにおける商品購入申込み処理を示すフローチャートである。
【図１０】本発明の実施形態に係る通販ＷＥＢサイト支援システムにおける商品購入申込み処理を示すフローチャートである。
【図１１】本発明の実施形態に係る通販ＷＥＢサイト支援システムにおける商品購入申込み処理を示すフローチャートである。
【図１２】本発明の実施形態に係る通販ＷＥＢサイト支援システムにおける通販ＷＥＢサイト階層構造が形成される過程を摸式的に示す図である。
【図１３】本発明の実施形態に係る通販ＷＥＢサイト支援システムにおける通販ＷＥＢサイト階層構造が形成される過程を摸式的に示す図である。
【図１４】本発明の実施形態に係る通販ＷＥＢサイト支援システムにおける通販ＷＥＢサイト階層構造が形成される過程を摸式的に示す図である。
【図１５】本発明の実施形態に係る通販ＷＥＢサイト支援システムにおける通販ＷＥＢサイト階層構造が形成される過程を摸式的に示す図である。
【発明を実施するための形態】
【００１８】
以下の図面を参照して、本発明の実施形態に係る通販ＷＥＢサイト支援システムを説明し、本発明の理解に供する。しかし、以下の説明は本発明の実施形態であって、特許請求の範囲に記載の内容を限定するものではない。
【００１９】
本発明の実施形態に係る通販ＷＥＢサイト支援システムは、通販ＷＥＢサイトを所有する本部と、本部から通販ＷＥＢサイトの提供を受ける複数の販売代理店とをインターネット通信網を介して接続することで、通販ＷＥＢサイトを介して新規販売代理店の募集と各種商品の販売とを行うことができるシステムである。
【００２０】
まず図１を参照して、本発明の実施形態に係る通販ＷＥＢサイト支援システム１は、通販ＷＥＢサイトを所有する本部１０と、本部１０から通販ＷＥＢサイトの提供を受ける販売代理店２０と、顧客端末３０と、インターネット通信網４０とで構成される。
【００２１】
前記本部１０は、サーバ１１を備え、通販ＷＥＢサイトを所有すると共に、通販ＷＥＢサイト支援システム１の管理を行う機能を有するものである。なお、本部１０及び販売代理店２０は、インターネット通信網４０を介して各種情報を送受信するために通常用いられる機器（ハブ、ＬＡＮケーブル、ルーター等）やオペレーターを当然備えるものであるが、それらの図示及び説明は省略するものとする。
【００２２】
前記サーバ１１は、通販ＷＥＢサイト支援システム１を運営、管理する機能を有するものである。具体的には、本部１０の端末装置と販売代理店２０の端末装置及び顧客３０の端末装置との間で各種通信を可能にする機能を有すると共に、販売代理店情報、顧客情報、商品情報を一元管理する機能を有するものである。
図２に示すようにサーバ１１は、制御部１２と、記憶部１３とを有する。
【００２３】
前記制御部１２は、通販ＷＥＢサイト支援システム１を運営、管理するプログラムを保有する部である。本実施形態においては、図２に示すように、販売代理店管理部１２ａと、通販ＷＥＢサイト管理部１２ｂと、商品販売管理部１２ｃと、識別符号部１２ｄと、認証部１２ｅと、データ送受信部１２ｆと、通信端末接続部１２ｇとを備える。
【００２４】
前記販売代理店管理部１２ａは、通販ＷＥＢサイト支援システム１に既に登録されている販売代理店２０と、新たに登録される販売代理店２０との管理を行う機能を有する部である。具体的には、インターネット通信網４０を介して本部１０の通販ＷＥＢサイト若しくは販売代理店２０の通販ＷＥＢサイトから新規販売代理店の登録申込みがあった場合に、有効な登録状態にある販売代理店２０かどうかの審査や申込者の審査等を行う。
【００２５】
前記通販ＷＥＢサイト管理部１２ｂは、本部１０及び販売代理店２０が備える通販ＷＥＢサイトの運営、管理を行う部である。具体的には、通販ＷＥＢサイトを運営するためのプログラムの作成、修正等を行う。また本部１０及び販売代理店２０の通販ＷＥＢサイトへのアクセス数の管理等を行う。
なお本実施形態においては、本部１０の通販ＷＥＢサイト及び複数の販売代理店２０の通販ＷＥＢサイトを通販ＷＥＢサイト管理部１２ｂで一括して運営、管理する構成としてある。
【００２６】
前記商品販売管理部１２ｃは、主として通販ＷＥＢサイトを介して販売する各種商品の受発注処理を行う部である。
なお本実施形態においては、販売代理店２０の通販ＷＥＢサイトを介して行われる商品の受発注は、全て商品販売管理部１２ｃで一元管理する構成としてある。
【００２７】
前記識別符号部１２ｄは、販売代理店２０、顧客３０に対して割り当てる固有の識別符号を作成し、付与する部である。本実施形態においては、識別符号として、販売代理店２０に付与される販売代理店管理符号と、本部１０が所有する通販ＷＥＢサイト及び各販売代理店２０に提供される通販ＷＥＢサイトに付与される通販ＷＥＢサイト管理符号と、顧客に付与される顧客管理符号とがあるが、勿論、これらに限定されるものではない。
なお本実施形態においては、本部１０の通販ＷＥＢサイト若しくは販売代理店２０の通販ＷＥＢサイトから新規販売代理店の登録申込みを受けた場合において、それを承認する場合には、新規販売代理店の登録申込みが現になされた何れかの販売代理店２０の通販ＷＥＢサイトと関連付けた通販ＷＥＢサイト管理符号を付与した通販ＷＥＢサイトを新規販売代理店に提供する構成としてある。更に新規販売代理店に付与される販売代理店管理符号と、新規販売代理店の通販ＷＥＢサイトに付与される通販ＷＥＢサイト管理符号とを関連付けて記憶部１３（後述する）に記憶する構成としてある。
なお識別符号としては、数字、アルファベット、記号等、如何なる符号を用いる構成としてもよい。
【００２８】
前記認証部１２ｅは、販売代理店２０や顧客３０が本部１０のサーバ１１の照合を得ることが必要なデータ（販売代理店管理符号、通販ＷＥＢサイト管理符号、顧客管理符号、パスワード等）についての認証を行う部である。本通販ＷＥＢサイト支援システム１においては、認証部１２ｅが行う認証としては、販売代理店認証、通販ＷＥＢサイト認証、顧客認証とがあるが、勿論、これらに限定されるものではない。
【００２９】
前記データ送受信部１２ｆは、サーバ１１と、通販ＷＥＢサイトを備える販売代理店２０の端末装置と、顧客３０の端末装置との間で、インターネット通信網４０を介して受け渡しする全てのデータを送受信する機能を有する部である。なお、ここで「受け渡しするデータ」とは、文字データ、音声データ、画像データ等の送受信できる全てのデータを含む概念である。
【００３０】
前記通信端末接続部１２ｇは、サーバ１１と、通販ＷＥＢサイトを備える販売代理店２０の端末装置と、顧客３０の端末装置とを、インターネット通信網４０を介して相互に通信可能に接続する部である。
【００３１】
前記記憶部１３は、販売代理店情報、顧客情報、商品情報等の予めサーバ１１に記憶させておくデータや、追加・修正のあったデータ等を記憶させておく機能を有する部である。
本実施形態においては、図２に示すように、販売代理店データベース１３ａと、顧客データベース１３ｂと、商品データベース１３ｃとを備える。
【００３２】
前記販売代理店データベース１３ａは、本部１０と通販営業契約を結ぶことで、販売代理店２０として登録される代理店の各種情報を記憶させておくためのデータベースである。
本通販ＷＥＢサイト支援システム１においては、販売代理店データベース１３ａに記憶される情報として、販売代理店管理符号、販売代理店管理符号と関連付けられる通販ＷＥＢサイト管理符号、販売代理店の管理者名とプロフィール（住所や連絡先等）、販売代理店として登録された日時等があるが、勿論、これらに限られるものではない。
【００３３】
前記顧客データベース１３ｂは、本部１０の通販ＷＥＢサイトや販売代理店２０の通販ＷＥＢサイトを介して商品を購入した者の各種情報を記憶させておくためのデータベースである。
本通販ＷＥＢサイト支援システム１においては、顧客データベース１３ｂに記憶される情報として、顧客管理符号、顧客名とプロフィール（性別、年齢、住所、連絡先等）、購入した商品名と品番及び数量、商品購入日時等があるが、勿論、これらに限られるものではない。
【００３４】
前記商品データベース１３ｃは、本部１０の通販ＷＥＢサイト及び販売代理店２０の通販ＷＥＢサイトで販売する商品の各種情報を記憶させておくためのデータベースである。
本通販ＷＥＢサイト支援システム１においては、商品データベース１３ｃに記憶される情報として、商品名、商品番号、販売金額、仕入先、仕入価格、在庫数等があるが、勿論、これらに限られるものではない。
【００３５】
前記販売代理店２０は、本部１０と通販営業契約を結ぶことで固有の識別符号が付与された通販ＷＥＢサイトの提供を受けることができ、これによって通販営業が許可されるものである。
なお本実施形態においては、本部１０から販売代理店２０に提供される通販ＷＥＢサイトは、本部１０が所有する通販ＷＥＢサイトと全く同じ内容、機能を有するもので、既述したように、その運営、管理は本部１０のサーバ１１で一括して行う構成としてある。
【００３６】
また本実施形態においては、図１に示すように、本部１０のサーバ１１を頂点として、複数の販売代理店２０の通販ＷＥＢサイトを階層構造に配置する構成としてある。より具体的には、サーバ１１を頂点として、販売代理店２０の通販ＷＥＢサイトを所定数の異なる階層に上下関係となるように配置する上下列と、販売代理店２０の通販ＷＥＢサイトを同一階層に並列関係となるように所定数配置する左右列とを組み合わせることで、通販ＷＥＢサイト階層構造を形成する構成としてある。
なお、ここで「上下関係」とは、「現に登録申込みがあった通販ＷＥＢサイト（既登録通販ＷＥＢサイト）と、その通販ＷＥＢサイトの通販ＷＥＢサイト管理符号と関連付けられた通販ＷＥＢサイト管理符号が付与された通販ＷＥＢサイト（新規通販ＷＥＢサイト）との関係」のことを意味するものである。
また「並列関係」とは、「サーバ１１から付与された通販ＷＥＢサイト管理符号の中に、同じ通販ＷＥＢサイト管理符号が含まれている複数の通販ＷＥＢサイト間の関係（登録申込みが同じ通販ＷＥＢサイトでなされた複数の新規通販ＷＥＢサイト間の関係）」のことを意味するものである。
【００３７】
更に具体的には、図１に一部を示すように、本部１０のサーバ１１の一段下の下位層に、第１一次販売代理店２１ａ〜第７一次販売代理店２１ｇまでの７店の一次販売代理店で構成される一次販売代理店群２１を配置してある。つまり、一次販売代理店は合計７店ある。
そして７店の一次販売代理店のそれぞれの一段下の下位層に、第１二次販売代理店２２ａ〜第７二次販売代理店２２ｇまでの７店の二次販売代理店で構成される二次販売代理店群２２を配置してある。つまり、二次販売代理店は合計４９店ある。
更に４９店の二次販売代理店のそれぞれの一段下の下位層に、第１三次販売代理店２３ａ〜第７三次販売代理店２３ｇまでの７店の三次販売代理店で構成される三次販売代理店群２３を配置してある。つまり、三次販売代理店は合計３４３店ある。
従って本実施形態においては、合計３９９店の販売代理店２０の通販ＷＥＢサイトで通販ＷＥＢサイト階層構造が形成されている。
【００３８】
また本実施形態においては、図３に簡略化して示すように、通販ＷＥＢサイトの初期画面Ｇとして、本部１０が提供する商品の購入申込みを受け付けるための商品購入案内画面Ｇ１と、新規販売代理店の登録申込みを受け付けるための新規販売代理店登録申込み画面Ｇ２と、通販ＷＥＢサイトの登録者として本システムに加入した者のプロフィールを表示するためのプロフィール表示画面Ｇ３とを備える構成としてある。勿論、通販ＷＥＢサイトの初期画面Ｇはこのような構成に限るものではなく、適宜変更可能である。
【００３９】
前記インターネット通信網４０は、本部１０、販売代理店２０、顧客３０を相互に通信可能に接続し、様々な処理に係わる各種データをサーバ１１と、販売代理店２０の端末装置と、顧客３０の端末装置との間で送受可能にするためのものである。
【００４０】
次に図４〜図７を参照して、本発明の実施形態に係る通販ＷＥＢサイト支援システム１において、新たに販売代理店を登録する場合にサーバ１１が行う販売代理店登録処理の具体的な流れについて説明する。
【００４１】
まず図４を参照して、本部１０のサーバ１１は、販売代理店申込みコマンドを受領したか否かの判定を行う（ステップＳ１）。なお、この販売代理店申込みコマンドは、例えば本部１０の通販ＷＥＢサイト又は何れかの販売代理店２０の通販ＷＥＢサイトにおいて、新たに販売代理店として登録したい者が、新規販売代理店登録申込み画面Ｇ２から登録申込みボタン（図示しない）をクリックすることで、サーバ１１へ送信される構成とすることができる。
販売代理店申込みコマンドを受領したとサーバ１１が判定した場合（ステップＳ１でＹＥＳ）には、サーバ１１は申込みがあった通販ＷＥＢサイトに販売代理店登録申込み用フォームを表示させる（ステップＳ２）。
【００４２】
その後、サーバ１１は販売代理店登録申込み用フォームを受領したか否かの判定を行う（ステップＳ３）。販売代理店登録申込み用フォームを受領したとサーバ１１が判定した場合（ステップＳ３でＹＥＳ）には、本部１０において申込み内容の審査を行う。具体的には、販売代理店登録申込み用フォームに入力された所定の情報（名前、住所等）に基づき、本部１０の審査員が審査を行う。
【００４３】
次にサーバ１１は審査を通過したか否かの判定を行う（ステップＳ４）。審査を通過したとサーバ１１が判定した場合（ステップＳ４でＹＥＳ）には、サーバ１１は本部１０の通販ＷＥＢサイトから販売代理店申込みコマンドを受領したか否かの判定を行う（ステップＳ５）。一方、審査を通過しなかったとサーバ１１が判定した場合（ステップＳ４でＮＯ）には、サーバ１１は登録申込みを行った者の端末に審査非通過メッセージを送信し、販売代理店登録申込み処理を終了する。なお、サーバ１１による審査通過の判定は、例えば本部１０のオペレーターが端末装置を利用して審査通過コマンドを実行（入力）することで行うことができる。これと同様に、サーバ１１による審査非通過の判定は、例えば本部１０のオペレーターが端末装置を利用して審査非通過コマンドを実行（入力）することで行うことができる。
【００４４】
上記ステップＳ５において、本部１０の通販ＷＥＢサイトから販売代理店申込みコマンドを受領したとサーバ１１が判定した場合には、一次販売代理店開設枠に空きがあるか否かの判定を行う（ステップＳ６）。具体的には、図１に示す本部１０のサーバ１１を頂点として一段下の下位層である一次販売代理店群２１の左右列に７店の一次販売代理店が既に配置されているかの判定（一次販売代理店開設枠に空きがあるかないかの判定）を行う。なお、一次販売代理店開設枠が全て埋まっていた場合（（ステップＳ６でＮＯ）には、後述するステップＳ８へと進む。
【００４５】
一方、一次販売代理店開設枠に空きがあるとサーバ１１が判定した場合（ステップＳ６でＹＥＳ）には、サーバ１１により新規販売代理店開設処理が行われる（ステップＳ７）。
具体的には、まず登録申込みがあった本部１０の通販ＷＥＢサイトに付与されている通販ＷＥＢサイト管理符号と関連付けられた通販ＷＥＢサイト管理符号と、新規販売代理店に固有の販売代理店管理符号とが識別符号部１２ｄで作成される。
そして識別符号部１２ｄで作成された通販ＷＥＢサイト管理符号が付与された通販ＷＥＢサイトが、本部１０から申込み者の端末装置にアップロード（提供）されると共に、登録申込みが現になされた本部１０の通販ＷＥＢサイトの一段下の下位層である一次販売代理店群２１の中に新規販売代理店の通販ＷＥＢサイトが位置付けられる。
また識別符号部１２ｄによって作成された販売代理店管理符号と、新規販売代理店の通販ＷＥＢサイトに付与された通販ＷＥＢサイト管理符号とが関連付けられて販売代理店データベース１３ａに記憶される。また新規販売代理店の登録者として本システムに加入した者の一定の情報（ニックネーム、趣味等のいわゆるプロフィール情報）が、プロフィール表示画面Ｇ３に表示される。
更に本部１０と申込み者との間で通販営業契約を締結する。
これによって、申込み者は一次販売代理店としての通販営業が可能になる。
【００４６】
図５を参照して、一次販売代理店開設枠に空きがないとサーバ１１が判定した場合（ステップＳ６でＮＯ）には、二次販売代理店開設枠に空きがあるか否かの判定を行う（ステップＳ８）。具体的には、図１に示す本部１０のサーバ１１を頂点として二段下の下位層である二次販売代理店群２２の左右列に４９店の二次販売代理店が既に配置されているかの判定（二次販売代理店開設枠に空きがあるかないかの判定）を行う。この判定において、二次販売代理店開設枠が全て埋まっていた場合には、後述するステップＳ１０へと進む。
【００４７】
一方、二次販売代理店開設枠に空きがあるとサーバ１１が判定した場合（ステップＳ８でＹＥＳ）には、サーバ１１により新規販売代理店開設処理が行われる（ステップＳ９）。
具体的には、申込みがあった本部１０の通販ＷＥＢサイトに付与されている通販ＷＥＢサイト管理符号と、二次販売代理店として配置する位置の一段上流に配置される一次販売代理店の通販ＷＥＢサイトに付与されている通販ＷＥＢサイト管理符号との二つの通販ＷＥＢサイト管理符号に関連付けられた通販ＷＥＢサイト管理符号が識別符号部１２ｄで作成される。同時に、新規販売代理店に固有の販売代理店管理符号が識別符号部１２ｄで作成される。
そして識別符号部１２ｄで作成された通販ＷＥＢサイト管理符号が付与された通販ＷＥＢサイトが、本部１０から申込み者の端末装置にアップロード（提供）されると共に、登録申込みが現になされた本部１０の通販ＷＥＢサイトの二段下流に新規販売代理店の通販ＷＥＢサイトが位置付けられる。
また識別符号部１２ｄによって作成された販売代理店管理符号と、新規販売代理店の通販ＷＥＢサイトに付与された通販ＷＥＢサイト管理符号とが関連付けられて販売代理店データベース１３ａに記憶される。また新規販売代理店の登録者として本システムに加入した者の一定の情報（ニックネーム、趣味等のいわゆるプロフィール情報）が、プロフィール表示画面Ｇ３に表示される。
更に本部１０と申込み者との間で通販営業契約を締結する。
これによって、申込み者は二次販売代理店としての通販営業が可能になる。
【００４８】
なお、ここで「上流」とは、起点となる新規販売代理店の登録申込みが現にあった通販ＷＥＢサイトと上下関係（いわゆる直列関係）にある通販ＷＥＢサイトのうち、本部１０に近い通販ＷＥＢサイトを意味するものである。また「下流」とは、起点となる新規販売代理店の登録申込みが現にあった通販ＷＥＢサイトと上下関係（いわゆる直列関係）にある通販ＷＥＢサイトのうち、本部１０から遠い通販ＷＥＢサイトを意味するものである。
【００４９】
既述したステップＳ８において、二次販売代理店開設枠に空きがないとサーバ１１が判定した場合には、三次販売代理店開設枠に空きがあるか否かの判定を行う（ステップＳ１０）。具体的には、図１に示す本部１０のサーバ１１を頂点として三段下の下位層である三次販売代理店群２３の左右列に３４３店の三次販売代理店が既に配置されているかの判定（三次販売代理店開設枠に空きがあるかないかの判定）を行う。この際、三次販売代理店開設枠が全て埋まっていた場合（ステップＳ１０でＮＯ）には、本実施形態では三次販売代理店の下層に新規販売代理店を開設することができないため、申込み処理を終了する。
【００５０】
一方、三次販売代理店群２３の左右列に空きがあるとサーバ１１が判定した場合（ステップＳ１０でＹＥＳ）には、サーバ１１により新規販売代理店開設処理が行われる（ステップＳ１１）。
具体的には、申込みがあった本部１０の通販ＷＥＢサイトに付与されている通販ＷＥＢサイト管理符号と、三次販売代理店として配置する位置よりも二段上流に配置される一次販売代理店の通販ＷＥＢサイトに付与されている通販ＷＥＢサイト管理符号と、三次販売代理店として配置する位置よりも一段上流に配置される二次販売代理店の通販ＷＥＢサイトに付与されている通販ＷＥＢサイト管理符号との三つの通販ＷＥＢサイト管理符号に関連付けられた通販ＷＥＢサイト管理符号が識別符号部１２ｄで作成される。同時に、新規販売代理店に固有の販売代理店管理符号が識別符号部１２ｄで作成される。
そして識別符号部１２ｄで作成された通販ＷＥＢサイト管理符号が付与された通販ＷＥＢサイトが、本部１０から申込み者の端末装置にアップロード（提供）されると共に、登録申込みが現になされた本部１０の通販ＷＥＢサイトの三段下の下位層に新規販売代理店の通販ＷＥＢサイトが位置付けられる。
また識別符号部１２ｄによって作成された販売代理店管理符号と、新規販売代理店の通販ＷＥＢサイトに付与された通販ＷＥＢサイト管理符号とが関連付けられて販売代理店データベース１３ａに記憶される。また新規販売代理店の登録者として本システムに加入した者の一定の情報（ニックネーム、趣味等のいわゆるプロフィール情報）が、プロフィール表示画面Ｇ３に表示される。
更に本部１０と申込み者との間で通販営業契約を締結する。
これによって、申込み者は三次販売代理店としての通販営業が可能になる。
【００５１】
次に図６を参照して、新規販売代理店の登録申込みが本部の通販ＷＥＢサイトからではなく、何れかの販売代理店２０の通販ＷＥＢサイトから行われた場合の処理について説明する。
【００５２】
既述したステップＳ５において、申込みコマンドを本部１０の通販ＷＥＢサイトから受領しなかったとサーバ１１が判定した場合には、サーバ１１は一次販売代理店の通販ＷＥＢサイトから販売代理店申込みコマンドを受領したか否かの判定を行う（ステップＳ１２）。ここで、一次販売代理店の通販ＷＥＢサイトから販売代理店申込みコマンドを受領しなかったと判定した場合（ステップＳ１２でＮＯ）には、後述するステップＳ１７へと進む。
【００５３】
一方、一次販売代理店の通販ＷＥＢサイトから販売代理店申込みコマンドを受領したとサーバ１１が判定した場合（ステップＳ１２でＹＥＳ）には、申込みのあった一次販売代理店と関連付けられた二次販売代理店開設枠に空きがあるか否かの判定を行う（ステップＳ１３）。
具体的には、申込みがあった一次販売代理店の一段下流に配置される二次販売代理店群２２の左右列に７店の二次販売代理店が既に配置されているかの判定（二次販売代理店開設枠に空きがあるかないかの判定）を行う。この判定において空きがなかった場合（ステップＳ１３でＮＯ）には、後述するステップＳ１５へと進む。
【００５４】
一方、二次販売代理店群２２の左右列に空きがあるとサーバ１１が判定した場合（ステップＳ１３でＹＥＳ）には、サーバ１１により新規販売代理店開設処理が行われる（ステップＳ１４）。
具体的には、まず申込みがあった一次販売代理店の通販ＷＥＢサイトに付与されている通販ＷＥＢサイト管理符号に関連付けられた通販ＷＥＢサイト管理符号が識別符号部１２ｄで作成される。同時に、新規販売代理店に固有の販売代理店管理符号が識別符号部１２ｄで作成される。
そして識別符号部１２ｄで作成された通販ＷＥＢサイト管理符号が付与された通販ＷＥＢサイトが、本部１０から申込み者の端末装置にアップロード（提供）されると共に、登録申込みが現になされた一次販売代理店の通販ＷＥＢサイトの一段下流の下位層に新規販売代理店の通販ＷＥＢサイトが位置付けられる。
また識別符号部１２ｄによって作成された販売代理店管理符号と、新規販売代理店の通販ＷＥＢサイトに付与された通販ＷＥＢサイト管理符号とが関連付けられて販売代理店データベース１３ａに記憶される。また新規販売代理店の登録者として本システムに加入した者の一定の情報（ニックネーム、趣味等のいわゆるプロフィール情報）が、プロフィール表示画面Ｇ３に表示される。
更に本部１０と申込み者との間で通販営業契約を締結する。
これによって、申込み者は二次販売代理店としての通販営業が可能になる。
【００５５】
既述したステップＳ１３において、二次販売代理店開設枠に空きがないとサーバ１１が判定した場合には、三次販売代理店開設枠に空きがあるか否かの判定を行う（ステップＳ１５）。具体的には、申込みがあった一次販売代理店より二段下流の階層である三次販売代理店群２３の左右列に４９店の三次販売代理店が既に配置されているかの判定（三次販売代理店開設枠に空きがあるかないかの判定）を行う。この際、三次販売代理店開設枠が全て埋まっていた場合（ステップＳ１５でＮＯ）には、本実施形態においては三次販売代理店よりも下層に新規販売代理店を開設することができないため、申込み処理を終了する。
【００５６】
一方、三次販売代理店群２３の左右列に空きがあるとサーバ１１が判定した場合（ステップＳ１５でＹＥＳ）には、サーバ１１により新規販売代理店開設処理が行われる（ステップＳ１６）。
具体的には、まず申込みがあった一次販売代理店の通販ＷＥＢサイトに付与されている通販ＷＥＢサイト管理符号と、申込みがあった一次販売代理店の通販ＷＥＢサイトの一段下流に配置される二次販売代理店の通販ＷＥＢサイトに付与されている通販ＷＥＢサイト管理符号との二つの通販ＷＥＢサイト管理符号に関連付けられた通販ＷＥＢサイト管理符号が識別符号部１２ｄで作成される。同時に、新規販売代理店に固有の販売代理店管理符号が識別符号部１２ｄで作成される。
そして識別符号部１２ｄで作成された通販ＷＥＢサイト管理符号が付与された通販ＷＥＢサイトが、本部１０から申込み者の端末装置にアップロード（提供）されると共に、登録申込みが現になされた一次販売代理店の通販ＷＥＢサイトの二段下流の下位層に新規販売代理店の通販ＷＥＢサイトが位置付けられる。
また識別符号部１２ｄによって作成された販売代理店管理符号と、新規販売代理店の通販ＷＥＢサイトに付与された通販ＷＥＢサイト管理符号とが関連付けられて販売代理店データベース１３ａに記憶される。また新規販売代理店の登録者として本システムに加入した者の一定の情報（ニックネーム、趣味等のいわゆるプロフィール情報）が、プロフィール表示画面Ｇ３に表示される。
更に本部１０と申込み者との間で通販営業契約を締結する。
これによって、申込み者は三次販売代理店としての通販営業が可能になる。
【００５７】
図７を参照して、申込みコマンドを一次販売代理店の通販ＷＥＢサイトから受領しなかったとサーバ１１が判定した場合（ステップＳ１２でＮＯ）には、サーバ１１は二次販売代理店の通販ＷＥＢサイトから販売代理店申込みコマンドを受領したか否かの判定を行う（ステップＳ１７）。二次販売代理店の通販ＷＥＢサイトから販売代理店申込みコマンドを受領しなかったと判定した場合（ステップＳ１７でＮＯ）には、本実施形態においては三次販売代理店よりも下層には販売代理店２０を配置することができないことから、申込み処理を終了する。
【００５８】
一方、二次販売代理店の通販ＷＥＢサイトから販売代理店申込みコマンドを受領したとサーバ１１が判定した場合（ステップＳ１７でＹＥＳ）には、申込みのあった二次販売代理店と関連付けられた三次販売代理店開設枠に空きがあるか否かの判定を行う（ステップＳ１８）。
具体的には、申込みがあった二次販売代理店の一段下流に配置される三次販売代理店群２３の左右列に７店の三次販売代理店が既に配置されているかの判定（三次販売代理店開設枠に空きがあるかないかの判定）を行う。この判定において空きがなかった場合（ステップＳ１８でＮＯ）には、本実施形態においては三次販売代理店よりも下層には販売代理店２０を配置することができないことから、申込み処理を終了する。
【００５９】
一方、三次販売代理店群２３の左右列に空きがあるとサーバ１１が判定した場合（ステップＳ１８でＹＥＳ）には、サーバ１１により新規販売代理店開設処理が行われる（ステップＳ１９）。
具体的には、まず申込みがあった二次販売代理店の通販ＷＥＢサイトに付与されている通販ＷＥＢサイト管理符号に関連付けられた通販ＷＥＢサイト管理符号が識別符号部１２ｄで作成される。同時に、新規販売代理店に固有の販売代理店管理符号が識別符号部１２ｄで作成される。
そして識別符号部１２ｄで作成された通販ＷＥＢサイト管理符号が付与された通販ＷＥＢサイトが、本部１０から申込み者の端末装置にアップロード（提供）されると共に、登録申込みが現になされた二次販売代理店の通販ＷＥＢサイトの一段下流の下位層に新規販売代理店の通販ＷＥＢサイトが位置付けられる。
また識別符号部１２ｄによって作成された販売代理店管理符号と、新規販売代理店の通販ＷＥＢサイトに付与された通販ＷＥＢサイト管理符号とが関連付けられて販売代理店データベース１３ａに記憶される。また新規販売代理店の登録者として本システムに加入した者の一定の情報（ニックネーム、趣味等のいわゆるプロフィール情報）が、プロフィール表示画面Ｇ３に表示される。
更に本部１０と申込み者との間で通販営業契約を締結する。
これによって、申込み者は三次販売代理店としての通販営業が可能になる。
【００６０】
次に図８〜図１１を参照して、本発明の実施形態に係る通販ＷＥＢサイト支援システム１において、顧客３０が通販ＷＥＢサイトを介して商品を購入する場合にサーバ１１で行う商品購入申込み処理の流れについて説明する。
【００６１】
まず図８を参照して、サーバ１１は、商品購入申込みコマンドを受領したか否かの判定を行う（ステップＳ２０）。なお、この商品購入申込みコマンドは、例えば本部１０の通販ＷＥＢサイト又は何れかの販売代理店の通販ＷＥＢサイトにおいて、顧客３０が商品購入案内画面Ｇ１から購入希望商品を選択した後、購入申込みボタン（図示しない）をクリックすることでサーバ１１へ送信される構成とすることができる。
商品購入申込みコマンドを受領したとサーバ１１が判定した場合（ステップＳ２０でＹＥＳ）には、商品購入申込みコマンドをどの通販ＷＥＢサイトから受領したかの判定を行う。具体的には、まず本部１０の通販ＷＥＢサイトから商品購入申込みコマンドを受領したか否かの判定を行う（ステップＳ２１）。ここで本部１０の通販ＷＥＢサイトから商品購入申込みコマンドを受領しなかったとサーバ１１が判定した場合（ステップＳ２１でＮＯ）には、後述するステップＳ２５へと進む。
【００６２】
一方、本部１０の通販ＷＥＢサイトから商品購入申込みコマンドを受領したとサーバ１１が判定した場合（ステップＳ２１でＹＥＳ）には、サーバ１１は支払い方法決定コマンドを受領したか否かの判定を行う（ステップＳ２２）。
なお、この支払い方法決定コマンドは、例えば本部１０の通販ＷＥＢサイト又は何れかの販売代理店の通販ＷＥＢサイトにおいて、顧客３０が商品購入案内画面Ｇ１から支払い方法を選択した後、支払い方法決定ボタン（図示しない）をクリックすることでサーバ１１へ送信される構成とすることができる。また支払い方法としては、現金払い、銀行振込、クレジットカード払い等、通常の通販ＷＥＢサイトで用いられるものを用いることができる。
支払い方法決定コマンドを受領したとサーバ１１が判定した場合（ステップＳ２２でＹＥＳ）には、サーバ１１は入金を確認したか否かの判定を行う（ステップＳ２３）。
なお、サーバ１１による入金の確認は、例えば本部１０のオペレーターが端末装置を利用して、入金確認コマンドを実行（入力）することで行うことができる。
【００６３】
サーバ１１が入金を確認したと判定した場合（ステップＳ２３でＹＥＳ）には、識別符号部１２ｄで商品購入申込みを行った顧客３０に固有の識別符号（顧客管理符号）を作成し、顧客データベース１３ｂに登録（記憶）する（ステップＳ２４）。なお、顧客管理符号を顧客データベース１３ｂに登録する際には、購入した商品名、品番、数量、購入日、購入金額等のデータと関連付けて登録することが望ましい。
【００６４】
以上により商品購入申込み処理を終了する。
その後、申込みのあった商品が本部１０から顧客３０へと発送される。
【００６５】
図９を参照して、本部１０の通販ＷＥＢサイトから商品購入申込みコマンドを受領しなかったと判定した場合（ステップＳ２１でＮＯ）には、販売代理店の通販ＷＥＢサイトから商品購入申込みコマンドを受領したか否かの判定を行う（ステップＳ２５）。
【００６６】
販売代理店の通販ＷＥＢサイトから商品購入申込みコマンドを受領したとサーバ１１が判定した場合（ステップＳ２５でＹＥＳ）には、サーバ１１は一次販売代理店の通販ＷＥＢサイトから商品購入申込みコマンドを受領したか否かの判定を行う（ステップＳ２６）。
ここで一次販売代理店の通販ＷＥＢサイトから商品購入申込みコマンドを受領しなかったとサーバ１１が判定した場合（ステップＳ２６でＮＯ）には、後述するステップＳ３２へと進む。
【００６７】
一方、一次販売代理店の通販ＷＥＢサイトから商品購入申込みコマンドを受領したとサーバ１１が判定した場合（ステップＳ２６でＹＥＳ）には、通販ＷＥＢサイト管理符号の照合を行う（ステップＳ２７）。具体的には、販売代理店データベース１３ａを用いて、商品購入申込みが現になされた一次販売代理店の通販ＷＥＢサイト管理符号が有効なものか否かの照合を行う。
そしてサーバ１１は、一次販売代理店の通販ＷＥＢサイト管理符号が有効なものか否かの判定を行う（ステップＳ２８）。
【００６８】
一次販売代理店の通販ＷＥＢサイト管理符号が有効なものであるとサーバ１１が判定した場合（ステップＳ２８でＹＥＳ）には、サーバ１１は支払い方法決定コマンドを受領したか否かの判定を行う（ステップＳ２９）。
支払い方法決定コマンドを受領したとサーバ１１が判定した場合（ステップＳ２９でＹＥＳ）には、サーバ１１は入金を確認したか否かの判定を行う（ステップＳ３０）。
【００６９】
サーバ１１が入金を確認したと判定した場合（ステップＳ３０でＹＥＳ）には、識別符号部１２ｄで商品購入申込みを行った顧客３０に固有の識別符号（顧客管理符号）を作成し、顧客データベース１３ｂに登録（記憶）する（ステップＳ３１）。また商品の購入金額に対応した配当金額（売上金額に一次販売代理店に割り当てられる料率を掛けて算出される配当金額）をサーバ１１が算出し、商品購入申込みが現になされた一次販売代理店に本部１０から配当金額が支払われる。
【００７０】
以上により、商品購入申込み処理を終了する。
その後、申込みのあった商品が本部１０から顧客３０へと発送される。
【００７１】
図１０を参照して、一次販売代理店の通販ＷＥＢサイトから商品購入申込みコマンドを受領しなかったとサーバ１１が判定した場合（ステップＳ２６でＮＯ）には、二次販売代理店の通販ＷＥＢサイトから商品購入申込みコマンドを受領したか否かの判定を行う（ステップＳ３２）。
二次販売代理店の通販ＷＥＢサイトから商品購入申込みコマンドを受領しなかったとサーバ１１が判定した場合（ステップＳ３２でＮＯ）には、後述するステップＳ３８へと進む。
【００７２】
一方、二次販売代理店の通販ＷＥＢサイトから商品購入申込みコマンドを受領したとサーバ１１が判定した場合（ステップＳ３２でＹＥＳ）には、通販ＷＥＢサイト管理符号の照合を行う（ステップＳ３３）。具体的には、販売代理店データベース１３ａを用いて、商品購入申込みが現になされた二次販売代理店の通販ＷＥＢサイト管理符号が有効なものか否かの照合を行う。
そしてサーバ１１は、二次販売代理店の通販ＷＥＢサイト管理符号が有効なものか否かの判定を行う（ステップＳ３４）。
【００７３】
二次販売代理店の通販ＷＥＢサイト管理符号が有効なものであるとサーバ１１が判定した場合（ステップＳ３４でＹＥＳ）には、サーバ１１は支払い方法決定コマンドを受領したか否かの判定を行う（ステップＳ３５）。
ここで支払い方法決定コマンドを受領したとサーバ１１が判定した場合（ステップＳ３５でＹＥＳ）には、サーバ１１は入金を確認したか否かの判定を行う（ステップＳ３６）。
【００７４】
サーバ１１が入金を確認したと判定した場合（ステップＳ３６でＹＥＳ）には、識別符号部１２ｄで商品購入申込みを行った顧客３０に固有の識別符号（顧客管理符号）を作成し、顧客データベース１３ｂに登録（記憶）する（ステップＳ３７）。また商品の購入金額に対応した配当金額をサーバ１１が算出し、商品購入申込みが現になされた二次販売代理店、当該二次販売代理店と関連付けられた一次販売代理店（当該二次販売代理店の通販ＷＥＢサイトよりも上位層で且つ上下列に位置付けられる通販ＷＥＢサイトを備える一次販売代理店）に本部１０から配当金額が支払われる。より具体的には、売上金額と二次販売代理店に割り当てられる料率とを掛けて算出される配当金額が二次販売代理店に支払われる。また売上金額と一次販売代理店に割り当てられる料率とを掛けて算出される配当金額が一次販売代理店に支払われる。
【００７５】
以上により、商品購入申込み処理を終了する。
その後、申込みのあった商品が本部１０から顧客３０へと発送される。
【００７６】
図１１を参照して、二次販売代理店の通販ＷＥＢサイトから商品購入申込みコマンドを受領しなかったとサーバ１１が判定した場合（ステップＳ３２でＮＯ）には、三次販売代理店の通販ＷＥＢサイトから商品購入申込みコマンドを受領したか否かの判定を行う（ステップＳ３８）。
【００７７】
三次販売代理店の通販ＷＥＢサイトから商品購入申込みコマンドを受領したとサーバ１１が判定した場合（ステップＳ３８でＹＥＳ）には、通販ＷＥＢサイト管理符号の照合を行う（ステップＳ３９）。具体的には、販売代理店データベース１３ａを用いて、商品購入申込みが現になされた三次販売代理店の通販ＷＥＢサイト管理符号が有効なものか否かの照合を行う。
次にサーバ１１は、三次販売代理店の通販ＷＥＢサイト管理符号が有効なものか否かの判定を行う（ステップＳ４０）。
【００７８】
三次販売代理店の通販ＷＥＢサイト管理符号が有効なものであるとサーバ１１が判定した場合（ステップＳ４０でＹＥＳ）には、サーバ１１は支払い方法決定コマンドを受領したか否かの判定を行う（ステップＳ４１）。
支払い方法決定コマンドを受領したとサーバ１１が判定した場合（ステップＳ４１でＹＥＳ）には、サーバ１１は入金を確認したか否かの判定を行う（ステップＳ４２）。
【００７９】
サーバ１１が入金を確認したと判定した場合（ステップＳ４２でＹＥＳ）には、識別符号部１２ｄで商品購入申込みを行った顧客３０に固有の識別符号（顧客管理符号）を作成し、顧客データベース１３ｂに登録（記憶）する（ステップＳ４３）。また商品の購入金額に対応した配当金額をサーバ１１が算出し、商品購入申込みが現になされた三次販売代理店、当該三次販売代理店と関連付けられた一次販売代理店及び二次販売代理店（当該三次販売代理店の通販ＷＥＢサイトよりも上位層で且つ上下列に位置付けられる通販ＷＥＢサイトを備える一次販売代理店及び二次販売代理店）に本部１０から配当金額が支払われる。より具体的には、売上金額と三次販売代理店に割り当てられる料率とを掛けて算出される配当金額が三次販売代理店に支払われる。また売上金額と二次販売代理店に割り当てられる料率とを掛けて算出される配当金額が二次販売代理店に支払われる。更に売上金額と一次販売代理店に割り当てられる料率とを掛けて算出される配当金額が一次販売代理店に支払われる。
【００８０】
以上により、商品購入申込み処理を終了する。
その後、申込みのあった商品が本部１０から顧客３０へと発送される。
【００８１】
なお、既述した説明及び以下の説明において、各販売代理店２０に割り当てられる料率は、通販ＷＥＢサイト支援システム１の構成に合わせて適宜変更可能である。例えば上下列において現に購入申込みのあった通販ＷＥＢサイトに近い通販ＷＥＢサイトを備える販売代理店ほど料率を高く設定する構成としてもよいし、全ての販売代理店の料率を同じ料率にする構成としてもよい。
【００８２】
次に図１２〜図１５を参照して、本発明の実施形態に係る通販ＷＥＢサイト支援システム１において、新規販売代理店の登録申込みがあって通販ＷＥＢサイト階層構造が形成される過程を具体例に沿って説明する。なお、図１２〜図１５において破線で示す四角形は、新規販売代理店の通販ＷＥＢサイトを配置可能な配置位置を意味するものである。
【００８３】
まず図１２（ａ）を参照して、販売代理店２０が１店も開設されていない状態で本部１０の通販ＷＥＢサイトを介して新規販売代理店の登録申込みが１件あり、その申込みを承認した場合には、まず本部１０の下位層のうち、通販ＷＥＢサイトが未だ配置されていない最も上流の配置位置を本部１０のサーバ１１が自動的に検出する。
これによって、図１２（ａ）に示すように、登録申込みが現になされた本部１０の通販ＷＥＢサイトの一段下流で、且つ左端の設置位置に新規販売代理店の通販ＷＥＢサイトが位置付けられる。
以上により、新規販売代理店が第１一次販売代理店２１ａとして記憶部１３に記憶される。
なお、図１２〜図１５に示す階層構造においては、左側を上流、右側を下流とするものとする。
【００８４】
その後、本部１０の通販ＷＥＢサイトを介して新規販売代理店の登録申込みが７件あり、その申込みを全て承認した場合には、まず本部１０の下位層のうち、通販ＷＥＢサイトが未だ配置されていない最も上流の配置位置を本部１０のサーバ１１が自動的に検出する。
これによって、図１２（ａ）、図１２（ｂ）に示すように、登録申込みが現になされた本部１０の通販ＷＥＢサイトの一段下流で、且つ左端から二番目の設置位置に新規販売代理店の通販ＷＥＢサイトがまず一つ位置付けられる。
以上により、新規販売代理店が第２一次販売代理店２１ｂとして記憶部１３に記憶される。同様に申込みのあった残り５件は、第３一次販売代理店２１ｃ、第４一次販売代理店２１ｄ、第５一次販売代理店２１ｅ、第６一次販売代理店２１ｆ、第７一次販売代理店２１ｇとして記憶部１３に記憶される。これにより図１２（ｂ）に示すように、一次販売代理店群２１を構成する７店の設置枠が全て埋まる。
【００８５】
従って申込みのあった７件のうち残り１件は、７店の一次販売代理店の通販ＷＥＢサイトのうち、最も上流の左端に配置される第１一次販売代理店２１ａの通販ＷＥＢサイトの下流で且つ、二次販売代理店の通販ＷＥＢサイトを配置する７つの配置位置のうち最も上流の左端の配置位置をサーバ１１が自動的に検出することで、その配置位置に新規販売代理店の通販ＷＥＢサイトが位置付けられる。
以上により、申込みのあった７件のうち残り１件は、第１二次販売代理店２２ａとして記憶部１３に記憶される。
【００８６】
その後、本部１０の通販ＷＥＢサイトを介して新規販売代理店の登録申込みが４件あり、その申込みを全て承認した場合には、まず本部１０の下位層のうち、通販ＷＥＢサイトが未だ配置されていない最も上流の配置位置を本部１０のサーバ１１が自動的に検出する。
これによって、図１３（ａ）に示すように、第１一次販売代理店２１ａの通販ＷＥＢサイトの下流で且つ、二次販売代理店の通販ＷＥＢサイトを配置する７つの配置位置のうち左端から二番目の配置位置をサーバ１１が自動的に検出することで、その配置位置に新規販売代理店の通販ＷＥＢサイトがまず一つ位置付けられる。
以上により、新規販売代理店が第２二次販売代理店２２ｂとして記憶部１３に記憶される。同様に申込みのあった残り３件は、第３二次販売代理店２２ｃ、第４二次販売代理店２２ｄ、第５二次販売代理店２２ｅとして記憶部１３に記憶される。
【００８７】
その後、第１二次販売代理店２２ａの通販ＷＥＢサイトを介して新規販売代理店の登録申込みが３件あり、その申込みを全て承認した場合には、まず第１二次販売代理店２２ａの下位層のうち、通販ＷＥＢサイトが未だ配置されていない最も上流の配置位置を本部１０のサーバ１１が自動的に検出する。
これによって図１３（ｂ）に示すように、登録申込みが現になされた第１二次販売代理店２２ａの通販ＷＥＢサイトの一段下流で、且つ左端の配置位置に新規販売代理店の通販ＷＥＢサイトがまず一つ位置付けられる。
以上により、新規販売代理店が第１三次販売代理店２３ａとして記憶部１３に記憶される。同様に申込みのあった残り２件は、第２三次販売代理店２３ｂ、第３三次販売代理店２３ｃとして記憶部１３に記憶される。
【００８８】
その後、本部１０の通販ＷＥＢサイトを介して新規販売代理店の登録申込みが１件あり、その申込みを承認した場合には、まず本部１０の下位層のうち、通販ＷＥＢサイトが未だ配置されていない最も上流の配置位置を本部１０のサーバ１１が自動的に検出する。
これによって図１４に示すように、第１一次販売代理店２１ａの通販ＷＥＢサイトの下流で且つ、二次販売代理店の通販ＷＥＢサイトを配置する７つの配置位置のうち左端から六番目の配置位置をサーバ１１が自動的に検出することで、その配置位置に新規販売代理店の通販ＷＥＢサイトが位置付けられる。以上により、新規販売代理店が第６二次販売代理店２２ｆとして記憶部１３に記憶される。
【００８９】
その後、本部１０の通販ＷＥＢサイトを介して新規販売代理店の登録申込みが３件あり、その申込みを全て承認した場合には、まず本部１０の下位層のうち、通販ＷＥＢサイトが未だ配置されていない最も上流の配置位置を本部１０のサーバ１１が自動的に検出する。
これによって図１５に示すように、第１一次販売代理店２１ａの通販ＷＥＢサイトの下流で且つ、二次販売代理店の通販ＷＥＢサイトを配置する７つの配置位置のうち右端の配置位置をサーバ１１が自動的に検出することで、その配置位置に新規販売代理店の通販ＷＥＢサイトが位置付けられる。以上により、新規販売代理店が第７二次販売代理店２２ｇとして記憶部１３に記憶される。
これにより第１一次販売代理店２１ａの通販ＷＥＢサイトの下流の二次販売代理店群２１を構成する７店の設置枠が全て埋まる。
【００９０】
そして残りの２件は、図１５に示すように、第２一次販売代理店２１ｂの通販ＷＥＢサイトの下流で且つ、二次販売代理店の通販ＷＥＢサイトを配置する７つの配置位置のうち左端の配置位置をサーバ１１が自動的に検出することで、その配置位置に新規販売代理店の通販ＷＥＢサイトがまず一つ位置付けられる。
以上により、新規販売代理店が第２一次販売代理店２１ｂの通販ＷＥＢサイトの下流の第１二次販売代理店２２ａとして記憶部１３に記憶される。同様に申込みのあった残り１件は、第２一次販売代理店２１ｂの通販ＷＥＢサイトの下流の第２二次販売代理店２２ｂとして記憶部１３に記憶される。
【００９１】
以上説明したように、本発明の通販ＷＥＢサイト支援システム１の特徴の一つは、新規販売代理店の登録申込みがあり、その申込みを承認した場合には、新規販売代理店の登録申込みが現になされた通販ＷＥＢサイトよりも下位層のうち、通販ＷＥＢサイトが未だ配置されていない最も上流の配置位置を本部１０のサーバ１１が自動的に検出し、その位置に新規販売代理店の通販ＷＥＢサイトを自動的に位置付ける点にある。
【００９２】
また図１５を参照して、第１三次販売代理店２３ａの通販ＷＥＢサイトを介して、顧客３０から商品の購入申込みがあって、その購入申込みが成立した場合（売上が発生した場合）には、売上金額に応じて算定される配当金額をサーバ１１が算出し、第１三次販売代理店２３ａと、第１三次販売代理店２３ａの通販ＷＥＢサイトの一段上流に配置される第１二次販売代理店２２ａと、第１三次販売代理店２３ａの通販ＷＥＢサイトの二段上流に配置される第１一次販売代理店２１ａとに本部１０から支払われる。より具体的には、売上金額と三次販売代理店に割り当てられる料率とを掛けて算出される配当金額が第１三次販売代理店２３ａに支払われる。また、売上金額と二次販売代理店に割り当てられる料率とを掛けて算出される配当金額が第１二次販売代理店２２ａに支払われる。更に、売上金額と一次販売代理店に割り当てられる料率とを掛けて算出される配当金額が第１一次販売代理店２１ａに支払われる。
【００９３】
なお、本発明の通販ＷＥＢサイト支援システム１においては、このように顧客３０が販売代理店２０を介して商品を購入するだけではなく、各販売代理店２０を運営する者が自己の通販ＷＥＢサイトから商品を購入し、それを顧客３０に販売することも可能な構成としてある（いわゆる卸売りの形態）。またその場合も、現に商品の申込みがあった通販ＷＥＢサイトと、その上流に位置する通販ＷＥＢサイトを備える販売代理店とに所定の配当金額が本部１０から支払われる。
【００９４】
以上の構成からなる本発明の通販ＷＥＢサイト支援システム１は、以下の効果を奏する。
【００９５】
インターネット通信網４０を介して、本部１０と販売代理店２０の何れの通販ＷＥＢサイトでも新規販売代理店の登録申込みを行える構成とすることで、日時に関係なく（２４時間３６５日）新規販売代理店の申込みを受け付けることができる。よって、販売代理店２０の募集を容易に行うことができることで、新たな販売代理店２０を効率良く増やすことができる。従って効率的に販路を拡大することができる。
【００９６】
また新規販売代理店の登録申込みが現になされた販売代理店２０の通販ＷＥＢサイトと関連付けた通販ＷＥＢサイト管理符号を付与した通販ＷＥＢサイトを新規販売代理店に提供すると共に、新規販売代理店に付与した販売代理店管理符号と新規販売代理店の通販ＷＥＢサイトに付与された通販ＷＥＢサイト管理符号とを関連付けて記憶する構成とすることで、どの販売代理店の通販ＷＥＢサイトを介して新規販売代理店の登録申込みがあったかの確認を容易に行うことができる。また任意の販売代理店２０で売上が発生した場合においては、商品の購入申込みが現にあった通販ＷＥＢサイトと、その通販ＷＥＢサイトの上流に位置する通販ＷＥＢサイトを容易に検出することができ、配当金額の分配を効率良く行うことができる。
【００９７】
また、新規販売代理店開設処理の構成として、通販ＷＥＢサイト階層構造において、新規販売代理店の登録申込みが現になされた通販ＷＥＢサイトの下位層のうち、通販ＷＥＢサイトが未だ配置されていない最も上流の配置位置をサーバ１１が自動的に検出し、その配置位置に新規販売代理店の通販ＷＥＢサイトを位置付ける構成とすることで、新たな販売代理店２０を機械的に所定位置に位置付けることができる。よって新規販売代理店開設処理を一段と効率的に行うことができる。また新規販売代理店開設処理が行われる度に、新規販売代理店の登録申込みが現になされた通販ＷＥＢサイトの下位層に販売代理店数を自動的に増やすことができる。
【００９８】
また販売代理店２０の通販ＷＥＢサイトの構成として、商品の購入申込みを受け付けることができると共に、商品の売買が成立した場合には、商品の購入申込みを受け付けた通販ＷＥＢサイトを備える販売代理店２０と、該販売代理店２０の通販ＷＥＢサイトよりも上位層で且つ上下列に位置付けられる通販ＷＥＢサイトを備える販売代理店２０とに対して、商品の購入金額に対応した配当金額を付与する構成とすることで、販売代理店２０の販売意欲を効果的に向上させることができる。よって販売代理店２０として通販ＷＥＢサイト支援システム１に加入した者が、積極的に自己の通販ＷＥＢサイトの告知や新規登録代理店の申込み案内を行うようになり、効率的に商品の販路を拡大することができる。
【００９９】
また販売代理店２０の通販ＷＥＢサイトの運営及び管理や、商品の受発注を全て本部１０のサーバ１１で一括して行う構成とすることで、通販ＷＥＢサイトの運営及び管理を一元化することができる。よって通販ＷＥＢサイトの運営及び管理を容易化することができ、効率良くシステム運営を行うことができる。
【０１００】
なお、サーバ１１の数や構成は本実施形態のものに限るものではなく、システムの内容に合わせて適宜変更可能である。
【０１０１】
また上下列を構成する階層の数、左右列を構成する販売代理店２０（通販ＷＥＢサイト）の数、商品の売り上げが発生した場合に配当金額を付与する販売代理店２０の数、構成も本実施形態のものに限るものではなく、適宜変更可能である。
【０１０２】
また販売代理店２０に配当金額が付与される構成も本実施形態のものに限るものではなく、適宜変更可能である。具体的には、本実施形態においては通販ＷＥＢサイトを介して商品の売買が成立した場合に、商品の購入申込みを受け付けた通販ＷＥＢサイトを備える販売代理店２０と、該販売代理店２０の通販ＷＥＢサイトよりも上位層で且つ上下列に位置付けられる通販ＷＥＢサイトを備える販売代理店２０とに対して、配当金額が付与される構成としたが、販売代理店２０に配当金額が付与される構成は必ずしもこのような構成に限るものではない。
【０１０３】
例えば販売代理店２０毎に所定の月会費の納入を義務付けると共に、月会費の入金確認をサーバ１１が行う構成とし、入金確認がとれた場合には、入金確認がとれた販売代理店２０の通販ＷＥＢサイトよりも上位層で且つ上下列に位置付けられる通販ＷＥＢサイトについて、月会費の金額に対応した配当金額をサーバ１１が算出し、この配当金額を入金確認がとれた販売代理店２０の通販ＷＥＢサイトよりも上位層で且つ上下列に位置付けられる通販ＷＥＢサイトを備える販売代理店２０に対して本部１０が付与する構成とすることができる。このような構成とすることで、既存の販売代理店２０は、自己の下流に新規販売代理店が開設されることで毎月一定額の収入を見込むことが可能となる。よって既存の販売代理店２０に対して新規販売代理店の募集意欲を効果的に向上させることができると共に、通販ＷＥＢサイト支援システム１を販売代理店２０にとって魅力的なシステムとすることができる。
【０１０４】
この構成の場合、所定の月会費の金額に合わせて、月毎に異なる商品を各販売代理店２０に本部１０が供給するような構成を加えてもよい。このような構成とすることで、販売代理店２０は毎月どのような商品が供給されるのか楽しみが持て、通販ＷＥＢサイト支援システム１を販売代理店２０にとって一段と魅力的なシステムとすることができる。
【０１０５】
或いは起点となる通販ＷＥＢサイトを定め、この通販ＷＥＢサイトから所定数の下位層までの間に登録された上下関係にある通販ＷＥＢサイトの総数を求め、この総数に対応した配当金額をサーバ１１が算出し、この配当金額を起点となる通販ＷＥＢを備える販売代理店２０に付与するような構成としてもよい。このような構成とすることで、既存の販売代理店２０に対して新規販売代理店の募集意欲を一段と効果的に向上させることができる。
【産業上の利用可能性】
【０１０６】
本発明はインターネット通信網を介して、販売代理店の管理、運営や各種商品の販売を行う、いわゆるオンラインショッピングの支援システムとして利用することができる。
【符号の説明】
【０１０７】
１          通販ＷＥＢサイト支援システム
１０        本部
１１        サーバ
１２        制御部
１２ａ      販売代理店管理部
１２ｂ      通販ＷＥＢサイト管理部
１２ｃ      商品販売管理部
１２ｄ      識別符号部
１２ｅ      認証部
１２ｆ      データ送受信部
１２ｇ      通信端末接続部
１３        記憶部
１３ａ      販売代理店データベース
１３ｂ      顧客データベース
１３ｃ      商品データベース
２０        販売代理店
２１        一次販売代理店群
２１ａ      第１一次販売代理店
２１ｂ      第２一次販売代理店
２１ｃ      第３一次販売代理店
２１ｄ      第４一次販売代理店
２１ｅ      第５一次販売代理店
２１ｆ      第６一次販売代理店
２１ｇ      第７一次販売代理店
２２        二次販売代理店群
２２ａ      第１二次販売代理店
２２ｂ      第２二次販売代理店
２２ｃ      第３二次販売代理店
２２ｄ      第４二次販売代理店
２２ｅ      第５二次販売代理店
２２ｆ      第６二次販売代理店
２２ｇ      第７二次販売代理店
２３        三次販売代理店群
２３ａ      第１三次販売代理店
２３ｂ      第２三次販売代理店
２３ｃ      第３三次販売代理店
２３ｄ      第４三次販売代理店
２３ｅ      第５三次販売代理店
２３ｆ      第６三次販売代理店
２３ｇ      第７三次販売代理店
３０        顧客
４０        インターネット通信網
Ｇ          初期画面
Ｇ１        商品購入案内画面
Ｇ２        新規販売代理店登録申込み画面
Ｇ３        プロフィール表示画面
【図１】
0006018107.tif 000002
【図２】
0006018107.tif 000003
【図３】
0006018107.tif 000004
【図４】
0006018107.tif 000005
【図５】
0006018107.tif 000006
【図６】
0006018107.tif 000007
【図７】
0006018107.tif 000008
【図８】
0006018107.tif 000009
【図９】
0006018107.tif 000010
【図１０】
0006018107.tif 000011
【図１１】
0006018107.tif 000012
【図１２】
0006018107.tif 000013
【図１３】
0006018107.tif 000014
【図１４】
0006018107.tif 000015
【図１５】
0006018107.tif 000016